(57)【特許請求の範囲】
【請求項１】
屋内空間部として、横並びで設けられた第１空間部と第２空間部とを有し、前記第１空間部の前記第２空間部の反対側に配置された壁部が外壁となっている建物において、
前記第１及び第２両空間部の天井部は、高さ位置が高低異なって少なくとも第２空間部の天井部が高くなる段状に形成され、その段差部分に設けられた立ち上り外壁部には太陽光が取り込まれる採光部が設置されており、
前記第２空間部には、前記採光部より取り込まれた太陽光を受光するとともに、その受光した太陽光の光及び熱の少なくともいずれかを屋内で利用する光利用手段が設けられており、
さらに、前記第２空間部は、前記第１空間部の床よりも高い位置に設けられたスキップ床を有しており、
前記第２空間部には、前記第１空間部との境界部において前記スキップ床から立設された腰壁部が設けられ、その腰壁部には前記第１空間部と前記第２空間部との間で空気流を作り出すファン装置が設置されていることを特徴とする建物。
【請求項２】
前記光利用手段は、前記受光した太陽光を反射させる反射部材であることを特徴とする請求項１に記載の建物。
【請求項３】
前記反射部材は、前記第２空間部の奥側壁部に設置され、前記採光部より取り込んだ太陽光が当たる反射面を有することを特徴とする請求項２に記載の建物。
【請求項４】
前記光利用手段は、その受光した太陽光の熱を蓄える蓄熱部材であることを特徴とする請求項１乃至３のいずれか１項に記載の建物。
【請求項５】
前記蓄熱部材は、前記蓄えられた熱を前記第２空間部に向けて放熱する放熱機能を備えていることを特徴とする請求項４に記載の建物。
【請求項６】
前記蓄熱部材に蓄えられた熱を、前記第２空間部の床部、同第２空間部以外の屋内空間部及びその床部の少なくともいずれかに伝熱する伝熱手段を備えていることを特徴とする請求項４又は５に記載の建物。
【請求項７】
前記立ち上り外壁部の屋外側には、前記採光部の上方に夏季の太陽光を遮る庇が設けられていることを特徴とする請求項１乃至６のいずれか１項に記載の建物。
【発明の詳細な説明】
【技術分野】
【０００１】
本発明は、住宅等の建物に関する。
【背景技術】
【０００２】
一般に、住宅等の建物においては、屋内の環境を向上させるべく、採光装置を通じて自然光を取り込み、その光によって屋内を明るくすることが行われている。この種の採光装置としては、屋内外を仕切る外壁に設けられる窓サッシが一般的である。
【０００３】
このような窓サッシが設置されることにより、特に建物の南側に配置された空間部では、自然光（特に、太陽光）を直接取り込むことができるため、空間部に十分な明るさを確保することができる。その一方で、建物の北側に配置された空間部では、窓サッシの設置によって自然光の取り込みは可能であるが、南側と違って太陽光を直接取り込むことができないため、空間部の明るさは不十分となる。このため、日中であっても、照明装置等の光が必要となる。
【０００４】
そこで、このように自然光の取り込みが不十分な空間部については、屋根部に設置した天窓（トップライト）を通じて採光することが従来から行われている（例えば、特許文献１参照）。一階建て建物の空間部、又は複数階立て建物の最上階に位置する空間部については、この天窓から太陽光を取り込むことで明るさを確保することができる。
【先行技術文献】
【特許文献】
【０００５】
【特許文献１】特開２００７−１３８６９３号公報
【発明の概要】
【発明が解決しようとする課題】
【０００６】
ところで、天窓を設置するためには、屋根部に天窓設置孔を形成する必要がある。屋根部には防水シートの設置等、各種の防水施工がなされているが、この天窓設置孔が形成される場合にはその部分で防水施工が途切れることになる。このため、天窓を設置する上では、その防水（雨仕舞い）という点を十分に考慮しなければならない。
【０００７】
ただ、防水性を長期にわたって維持するには継続的なメンテナンスが必要となるなど、天窓には防水性の確保という問題点が常に付きまとう。このため、防水という観点だけでみるなら、天窓は設置しない方が好ましい。
【０００８】
そこで、本発明は、北側に配置された空間部に対し、防水上の問題を生じることなく太陽光を取り込むとともに、その取り込んだ太陽光を利用して屋内環境を向上させることができる建物を提供することを主たる目的とするものである。
【課題を解決するための手段】
【０００９】
本発明は、上記課題を解決するために、以下の手段を採用した。
【００１０】
すなわち、第１の発明は、屋内空間部として、横並びで設けられた第１空間部と第２空間部とを有し、前記第１空間部の前記第２空間部の反対側に配置された壁部が外壁となっている建物において、前記第１及び第２両空間部の天井部は、高さ位置が高低異なって少なくとも第２空間部の天井部が高くなる段状に形成され、その段差部分に設けられた立ち上り外壁部には太陽光が取り込まれる採光部が設置されており、前記第２空間部には、前記採光部より取り込まれた太陽光を受光するとともに、その受光した太陽光の光及び熱の少なくともいずれかを屋内で利用する光利用手段が設けられている。
【００１１】
この第１の発明によれば、第１空間部の壁部のうち、第２空間部の反対側に配置された外壁より高い位置にある採光部から太陽光が取り込まれると、その太陽光は第２空間部に届く。それにより、第２空間部が太陽光に照らされて明るくなる。この採光部は、両空間部の天井部に形成された段差部分の立ち上り外壁部に設置され、第１空間部の前記外壁よりも奥まった位置に存在している。このため、第１空間部の前記外壁を上方に延長してそこに採光部を設置した場合に比べ、第２空間部のより奥側まで太陽光を届かせることが可能となる。第２空間部に対し、天窓を用いることなく太陽光を取り込めるため、防水上の問題を生じることなく屋内の明るさを十分に確保できる。
【００１２】
天窓を必要としないことから、太陽光パネルの設置スペースが天窓の存在によって狭められることなく、その設置スペースを十分に確保することもできる。その他、立ち上り外壁部が奥まった位置に設置されていることから、第１空間部の上方に形成される段差状の屋外空間をバルコニやルーフテラス等に利用することが可能となり、空間の有効利用も図ることができる。
【００１３】
その取り込んだ太陽光の光及び熱の少なくともいずれかは、光利用手段によって屋内で利用されるため、屋内環境のより一層の向上に寄与できる。
【００１４】
なお、前記採光部は前記立ち上り外壁部の縦方向略全域にわたって設置されていることが好ましい。これにより、採光部からできるだけ多くの太陽光が取り込むことができる。また、前記第１空間部と第２空間部は南北に並び、南側に配置された第１空間部の南側壁部が外壁となっている構成であることが好ましい。
【００１５】
第２の発明は、前記光利用手段は、前記受光した太陽光を反射させる反射部材であるとした。
【００１６】
この第２の発明によれば、太陽光を反射部材に当てて反射させることにより、入射する太陽光の通り道だけでなく、その下方（例えば、床面やその近傍領域）にも太陽光が導かれて照らされる。これにより、第２空間部では太陽光により照らされる領域が広がり、明るさ確保にとって好適となる。また、反射させることでその反射した太陽光を第１空間部側に導くことも可能となり、第１空間部の前記外壁に設けられた窓サッシ等より、同第１空間部に取り込んだ太陽光が届きにくい当該第１空間部の領域にも太陽光を届けることができる。
【００１７】
第３の発明は、前記反射部材は、前記第２空間部の奥側壁部に設置され、前記採光部より取り込んだ太陽光が当たる反射面を有するものであるとした。
【００１８】
この第３の発明によれば、取り込まれた太陽光は、第２空間部の奥側壁部に設置された反射部材の反射面に到達するため、第２空間部の奥側領域まで太陽光によって明るくすることができる。さらに、その太陽光が入射側へ反射されるため、第２空間部では広い領域で太陽光による明るさを確保できる。
【００１９】
第４の発明は、前記光利用手段は、その受光した太陽光の熱を蓄える蓄熱部材であるとした。
【００２０】
この第４の発明によれば、取り込まれた太陽光が蓄熱部材に当たることでその蓄熱部材に太陽光の熱が蓄えられることにより、その熱を屋内環境の向上に利用することができる。特に冬季においては、その熱を暖房補助に利用できる点で好適となる。
【００２１】
第５の発明は、前記蓄熱部材は、前記蓄えられた熱を前記第２空間部に向けて放熱する放熱機能を備えているとした。
【００２２】
この第５の発明によれば、放熱機能を用いて蓄熱部材に蓄えた熱を放射すれば、その放射熱によって第２空間部を暖めることができる。これにより、第２空間部での暖房負荷を軽減させることができる。
【００２３】
第６の発明は、前記蓄熱部材に蓄えられた熱を、前記第２空間部の床部、同第２空間部以外の屋内空間部及びその床部の少なくともいずれかに伝熱する伝熱手段を備えているとした。
【００２４】
この第６の発明によれば、蓄熱部材に蓄えられた熱を、前記第２空間部の床部、同第２空間部以外の屋内空間部及びその床部の少なくともいずれかで利用することができる。これにより、暖房設備が通常設置されない屋内空間部（例えば、収納室等）を暖めたり、床暖房の暖房負荷を軽減させたりすることができる。
【００２５】
第７の発明は、前記第２空間部は、前記第１空間部の床よりも高い位置に設けられたスキップ床を有しているとした。
【００２６】
この第７の発明によれば、第２空間部がスキップ床を有するため、そのスキップ床の下方にも屋内空間部が形成される。この屋内空間部を収納室等として利用すれば、天井部の高さ位置が高くなっている第２空間部において空間を有効に活用できる。また、採光部に入射する太陽光の入射角度が比較的低い場合でも、取り込んだ太陽光は第１空間部より高い位置に設けられているスキップ床の床面に近い位置まで届くことになり、第２空間部の明るさ確保にとって好適となる。
【００２７】
第８の発明は、前記第２空間部には、前記第１空間部との境界部において前記スキップ床から立設された腰壁部が設けられ、その腰壁部には前記第１空間部と前記第２空間部との間で空気流を作り出すファン装置が設置されているとした。
【００２８】
この第８の発明によれば、ファン装置により、前記第１空間部と前記第２空間部との間で空気流が作り出されるため、この空気流を利用して自然な空気の流れを補助したり、暖かい空気を別の空間部へ送り出したりする等、屋内環境の向上に寄与できる。
【００２９】
第９の発明は、前記立ち上り外壁部の屋外側には、前記採光部の上方に夏季の太陽光を遮る庇が設けられているとした。
【００３０】
この第９の発明によれば、太陽光として太陽光を取り込む場合に、日射角度が高くなった夏季の太陽光が庇によって遮られるため、その太陽光が第２空間部に取り込まれて屋内温度が上昇したり、冷房効率が悪化したりすることを抑制できる。
【図面の簡単な説明】
【００３１】
【図１】本実施の形態の平屋住宅を示す縦断面図。
【図２】平屋住宅を示す平面図であり、（ａ）は一階部分を、（ｂ）はスキップフロア階部分を示している。
【図３】スキップ手摺構造体を示す縦断面図。
【図４】北側壁部に設置された受光板部材を示す一部縦断面図。
【図５】採光を説明する平屋住宅の縦断面図。
【図６】夏季における空気の流れを説明する平屋住宅の縦断面図。
【図７】冬季における空気の流れを説明する平屋住宅の縦断面図。
【図８】受光板部材の設置箇所の別例を示す平屋住宅の縦断面図。
【図９】受光板部材の設置態様の別例を示す平屋住宅の縦断面図。
【図１０】別例としてスキップ床のない平屋住宅を示す縦断面図。
【発明を実施するための形態】
【００３２】
以下、本発明の建物を具体化した一実施の形態である平屋住宅について、図面を参照しながら説明する。
【００３３】
はじめに、この平屋住宅の間取りを、図１及び図２を参照して説明する。図１は、平屋住宅を示す縦断面図であり、南北方向を切断線としている。図２は平屋住宅を示す平面図であり、（ａ）は一階部分を、（ｂ）はスキップフロア階部分を示している。なお、図２では紙面上の上下方向が南北方向となっており、ここでのＡ−Ａ断面図が図１に該当している。
【００３４】
図１に示されているように、平屋住宅１０は一階部分１１とスキップフロア階部分１２とを備え、各階部分１１，１２はフラット屋根（陸屋根）となる屋根部１３，１４を有している。一階部分１１は、基礎の上に設けられた階部分である。スキップフロア階部分１２は平屋住宅１０の北側寄りに設けられ、一階床面１１ａと一階天井面１１ｂとの間に設けられたスキップ床１５を基準とする階部分である。
【００３５】
スキップフロア階部分１２の空間領域は一階部分１１のそれと高さ方向において一部重なり、かつ天井面１２ｂは一階天井面１１ｂよりも高い位置に設けられている。このため、各階部分１１，１２の屋根部１３，１４には高低差があり、一階部分１１の屋根部１３よりスキップフロア階部分１２の屋根部１４が高い位置に設けられている。説明の便宜上、一階部分１１の屋根部１３を下屋根部１３、スキップフロア階部分１２の屋根部１４を上屋根部１４とする。
【００３６】
なお、各階部分１１，１２では下地材や仕上材等が適宜組み付けられることで床部や天井部が構成されており、その床部の表面が前記床面１１ａやスキップ床１５の床面１５ａとなっており、また天井部の下面が前記天井面１１ｂ，１２ｂとなっている。
【００３７】
一階部分１１及びスキップフロア階部分１２の全体の間取りは次の通りである。
【００３８】
図２（ａ）に示されているように、一階部分１１には、主な屋内空間部として玄関２１、リビングダイニング２２、キッチン２３、寝室２４、収納室２５、洗面・トイレ２６及び浴室２７が設けられている。このうち、玄関２１、収納室２５、洗面・トイレ２６及び浴室２７は北側に配置され、西側からこの順序で並んで設けられている。また、リビングダイニング２２、キッチン２３及び寝室２４は南側に配置され、西側からこの順序で並んで設けられている。
【００３９】
前記収納室２５はスキップ床１５の下方に設けられた屋内空間部であり、その天井面１１ｃはリビングダイニング２２等の他の一階空間部における一階天井面１１ｂよりも低い位置に設けられている（前記図１参照）。収納室２５には玄関２１側と廊下２８（リビングダイニング２２と洗面・トイレ２６とをつなぐ廊下２８）側とのいずれからも出入り可能となっている。リビングダイニング２２と収納室２５とは南北方向に沿って隣接しており、両者の間には第１階段２９が設けられている。第１階段２９のリビングダイニング２２側には、階段手摺構造体Ｋ１が設置されている。階段手摺構造体Ｋ１は、支柱、縦や横の桟等が適宜組み合わされてなる構造体や、透明又は半透明のパネル板材を有する構造体等を用いて構成され、開放性及び光透過性が付与されている。
【００４０】
なお、前記収納室２５は玄関２１側と廊下２８側との２つに領域分けされており、そのうち玄関側領域では、前記図１に示されているように、一階床面１１ａよりも低い位置に床面が設けられている。これにより、その部分では、スキップ床１５が設けられた上記構成にあっても天井高さがある程度確保されている。
【００４１】
図２（ｂ）に示されているように、スキップフロア階部分１２には、スキップフロア３１、吹き抜け空間３２及び第２階段３３が設けられている。このうち、スキップフロア３１は前記収納室２５の上方に配置され、リビングダイニング２２と南北方向に沿って隣接して設けられている。前記第１階段２９はこのスキップフロア３１につながっている。スキップフロア３１における第１階段２９側の端縁部には、収納室２５の内壁部の上方に位置するスキップ手摺構造体４１が設けられ、スキップフロア３１を区画している。
【００４２】
なお、本実施の形態では、リビングダイニング２２が第１空間部、スキップフロア３１が第２空間部に相当する。また、スキップ手摺構造体４１が両空間部の境界部に立設された腰壁部に相当する。
【００４３】
ここで、このスキップ手摺構造体４１について、図３を参照しながら若干の説明を加える。なお、図３は、スキップ手摺構造体４１を示す縦断面図である。
【００４４】
スキップ手摺構造体４１は吹き抜け用の手摺構造体であり、図示されているようにスキップ床１５の床面１５ａに立設されている。下部構造体部４２と上部構造体部４３とを備え、これらはいずれも、支柱、パネル板材４４、笠木４５等の各部材が組み付けられることによって構成されている。このうちパネル板材４４は、強化ガラスや樹脂等の材料により透明又は半透明に形成されている。このため、スキップ手摺構造体４１には開放性及び光透過性が付与されている。
【００４５】
下部構造体部４２には、ファン装置４６が一つ又は複数設けられている。ファン装置４６が複数設けられた場合、それら複数のファン装置４６はスキップ手摺構造体４１の延びる方向に沿って所定間隔ごとに設置されている。図３に図示された下部構造体部４２は、そのファン装置４６が設けられた部分を示している。
【００４６】
このファン装置４６は、ファン４７、ルーバ４８及びファン駆動部（図示略）を有している。ファン４７は、水平方向、かつスキップ手摺構造体４１の延びる方向と直交する方向（この実施形態では南北方向）が回転軸となるように設けられている。ルーバ４８はファン４７の回転軸方向の両側に、上下方向に並んで多数設けられている。各ルーバ４８は、第１階段２９からスキップフロア３１に向けて斜め上向きとなるように配置されている。このため、ファン駆動部によりファン４７を正回転させると、リビングダイニング２２等の一階部分１１の空気がスキップフロア３１側に送られる空気流が形成される。一方、ファン４７を逆回転させると、スキップフロア３１の空気がリビングダイニング２２等の一階部分１１に送られる空気流が形成される。したがって、スキップ手摺構造体４１はスキップフロア３１を区画するだけでなく、屋内での空気流を形成する機能も備えている。
【００４７】
屋内空間部の説明に戻り、前記吹き抜け空間３２はスキップフロア３１の南側で、リビングダイニング２２の北側の一部領域及び第１階段２９の上方に配置されている。スキップフロア３１と吹き抜け空間３２とは、互いに仕切りがない状態でつながっている。リビングダイニング２２についてはその北側領域のみが吹き抜け空間３２とされていることにより、吹き抜け空間３２の南面を形成する立ち上り南壁部５１は、リビングダイニング２２の南面を形成する外壁である一階南壁部５２よりも奥まった位置に設けられている。立ち上り南壁部５１は、リビングダイニング２２の上方で下屋根部１３から立ち上るように設けられた外壁部であり、下屋根部１３と上屋根部１４との間の高低差をつないでいる。この立ち上り南壁部５１が立ち上り外壁部に相当する。
【００４８】
このため、下屋根部１３の屋根面１３ａは、収納室２５、洗面・トイレ２６及び浴室２７の上方だけでなく、吹き抜け空間３２を除くリビングダイニング２２の上方（吹き抜け空間３２の南方）にも広がっている。前者の屋根面領域には太陽光パネル６１が設置され、後者の屋根面領域にはルーフ手摺構造体６２によって囲われたルーフテラス６３とされている。前記第２階段３３は、このルーフテラス６３と前記スキップフロア３１とをつなぐ階段である。ちなみに、太陽光パネル６１は、図１に示されているように、上屋根部１４の屋根面１４ａにも設置されている。
【００４９】
次に、上記平屋住宅１０において、自然光を採光して屋内の明るさを確保する窓サッシ７１〜７５，８１，８２について説明する。これら各窓サッシ７１〜７５，８１，８２はいずれも開閉機能を有しており、風通しの確保も可能となっている。
【００５０】
図１及び図２（ａ）に示されているように、一階部分１１では、玄関２１や収納室２５を除く各空間部に対応して、南窓サッシ７１〜７３及び小窓サッシ７４，７５が設置されている。南窓サッシ７１〜７３は南側に面する空間部（リビングダイニング２２、キッチン２３及び寝室２４）に対応して、一階南壁部５２に設置されている。その中でも、リビングダイニング２２に対応する南窓サッシ７２は、南側から降り注ぐ太陽光をできるだけ多く取り込むべく、比較的大開口のものが採用されている。
【００５１】
もっとも、夏季の太陽光を取り込むとそれによって屋内が暑くなり、屋内環境や冷房効率を悪化させる原因となる。このため、太陽高度が高い夏季の太陽光を遮光すべく、各南窓サッシ７１〜７３の上方には庇７６が設けられている。庇７６としては、これによって夏季の太陽光をできるだけ遮る一方、冬季の太陽光はできるだけ遮らず積極的に取り込むようにすべく、オーニング装置等の張り出し量が調整可能となったものを採用することが好適である。
【００５２】
図１及び図２（ｂ）に示されているように、スキップフロア階部分１２では、まず、スキップフロア３１の北面を形成する北側壁部５３には、天井面１２ｂ側の近傍に横長の北窓サッシ８１が設置されている。なお、この北側壁部５３は奥側壁部に相当する。平面視において北側壁部５３と平行をなす前記立ち上り南壁部５１には、複数（図示では２つ）の南窓サッシ８２が予定間隔を隔てながら横方向に並んで設けられている。より多くの太陽光を屋内に取り込むべく、南窓サッシ８２の一つ一つは、前記立ち上り南壁部５１の縦（上下）方向の略全域にわたる縦長に形成されている。もっとも、雨水等の跳ね返しを防止するため、南窓サッシ８２の下端は下屋根部１３の屋根面１３ａより所定の高さが確保されている。そして、図１に示されているように、この南窓サッシ８２についても、その上方に一階側の庇７６と同様に構成された庇８３が設けられている。
【００５３】
なお、採光部としての前記南窓サッシ８２は、上記以外の態様で設置することも考えられる。例えば、立ち上り南壁部５１の略全域に広がる一つの大きな窓サッシが設けられてもよい。この場合には、窓サッシが南側立ち上り外壁部及び採光部の両者に相当する。また、複数の窓サッシが縦方向に並べて設けられたり、嵌め殺し式の南窓サッシ８２を採用したりしてもよい。その他、前記庇８３については、それに代えてシャッタ装置やブラインド装置等の光遮蔽手段を設置してもよい。
【００５４】
そして、図１に示すように、平屋住宅１０は、南窓サッシ８２から取り込まれた太陽光を受光するための受光板部材９１を有している。この受光板部材９１は、その平面を南向きにした状態で、スキップフロア３１における北側壁部５３の内壁面に設置されている。その大きさは、日中を通じて南窓サッシ８２から差し込んだ太陽光が、表面に当たり得る程度に形成されている。
【００５５】
この受光板部材９１は取り込んだ太陽光をその表面で受光するだけでなく、太陽光の熱エネルギを蓄熱する蓄熱機能、及び太陽光をその表面で反射する光反射機能を有している。したがって、受光板部材９１は光利用手段、反射部材、蓄熱部材に相当する。その具体的構成について、図４を参照しながら説明する。なお、図４は、北側壁部５３に設置された受光板部材９１を示す一部縦断面図である。
【００５６】
まず蓄熱機能に関し、図４に示されているように、受光板部材９１は容器本体９２と潜熱蓄熱材９３とで構成されている。容器本体９２は、金属や樹脂等の比較的高い熱放射率を有する材質より構成され、その内部に潜熱蓄熱材９３が充填されている。潜熱蓄熱とは物質の相変化（融解）による潜熱を利用した蓄熱であり、潜熱蓄熱材９３としては硫酸ナトリウム水和物等の無機水和塩、パラフィン等が用いられる。受光板部材９１が太陽光Ｔを受けることでその太陽光Ｔによる熱エネルギで潜熱蓄熱材９３が融解し、熱が蓄えられる。一方、太陽光Ｔからの熱エネルギが弱く又はなくなってスキップフロア３１の屋内温度が低下すると、潜熱蓄熱材９３は凝固し、それによって表面から熱Ｎが放射される。この放射熱Ｎにより、スキップフロア３１が暖められる。
【００５７】
また、光反射機能に関して、前記容器本体９２の表面はその全面が光沢塗料等によりコーティングされて、光沢材層９４が形成されている。これにより、受光板部材９１の表面は反射面９１ａとなり、光反射率が高められている。なお、容器本体９２が金属材料により構成されている場合であれば、その表面側を鏡面加工することによって反射面９１ａを形成するようにしてもよい。図示のように、受光板部材９１の反射面９１ａに南窓サッシ８２から取り込まれた太陽光Ｔが当たると、その太陽光Ｔは反射して入射側（南側）に導かれる。
【００５８】
次に、以上の構成を有する平屋住宅１０において、リビングダイニング２２及びスキップフロア３１に対する採光や空気の流れがいかにして確保されるかを、図５乃至図７を参照しながら説明する。図５乃至図７はいずれも平屋住宅１０の縦断面図であり、図５は採光を説明するためのもの、図６及び図７はそれぞれ夏季又は冬季における空気の流れを説明するためのものである。
【００５９】
まず、採光について説明する。
【００６０】
図５に示されているように、太陽高度の高い夏季においては、太陽光Ｔの日射角度が高いため、一階側の庇７６及びスキップフロア階側の庇８３によって太陽光Ｔは遮られる。これにより、一階側の南窓サッシ７２及びスキップフロア階側の南窓サッシ８２を通じた太陽光Ｔの取り込みが抑制されている。
【００６１】
一方、太陽高度の低い冬季においては、太陽光Ｔの日射角度も低いため、南窓サッシ７２，８２を通じて太陽光Ｔが屋内に取り込まれる。これにより、一階南側に位置するリビングダイニング２２及び北側で隣接するスキップフロア３１で、太陽光Ｔによる明るさが確保される。
【００６２】
また、スキップフロア階の南窓サッシ８２から取り込まれた太陽光Ｔは、受光板部材９１の表面に当たる。これにより、太陽光Ｔの熱エネルギが受光板部材９１の潜熱蓄熱材９３に蓄熱される。さらに、受光板部材９１の表面は反射面９１ａとなっているため、その反射面９１ａに当たった太陽光Ｔは反射して入射側（南側）に導かれる。この反射した太陽光Ｔの一部はスキップ床１５の床面１５ａに届き、また別の一部は光透過性がそれぞれ付与されたスキップ手摺構造体４１及び階段手摺構造体Ｋ１を通過し、リビングダイニング２２の北側領域に至る。このため、リビングダイニング２２では、反射した太陽光Ｔによっても明るさが確保される。
【００６３】
つまり、受光板部材９１の反射面９１ａと反対側に位置する屋内空間部では、太陽光Ｔの入射側だけでなくそれとは反対側からも太陽光Ｔが取り込まれることになり、屋内の明るさが十分に確保される。図５では太陽光Ｔの日射角度が低い状態が図示されているため、リビングダイニング２２では南側からの太陽光Ｔの取り込みだけで十分な明るさが確保されている。しかしながら、冬季に図示の場合より日射角度が高くなったり、リビングダイニング２２の南北方向の寸法が長くなったりすれば、南側から取り込まれた太陽光Ｔは北側領域まで届きにくいこともある。そのような場合は特に、太陽光Ｔの入射とは反対側からも太陽光Ｔが取り込まれることによるメリットは大きい。
【００６４】
次に、空気の流れについて説明する。
【００６５】
図６に示されているように、夏季においては、リビングダイニング２２の南窓サッシ７２から取り入れた外気が、屋内の吹き抜け空間３２や第１階段２９を通じてスキップフロア３１に導かれ、さらに北窓サッシ８１から排気されるという自然の空気流が形成される。これに加え、スキップ手摺構造体４１に設けられたファン装置４６（前述の図４参照）を駆動してファン４７を正回転させることにより、リビングダイニング２２等の一階部分１１の空気が強制的にスキップフロア３１へ送り出される。この空気は前述した空気流と合流して北窓サッシ８１から排気される。このような空気の流れが作り出されることにより、屋内にこもりがちな熱気が屋外に排気され、冷房だけに頼らないで屋内環境を快適なものとすることができる。
【００６６】
一方、図７に示されているように、冬季においては、夜間等になって屋内の温度が低下すると、前述したように、日中に太陽光Ｔが当たることで受光板部材９１に蓄えられた熱Ｎがその表面から放射され、スキップフロア３１が暖められる。併せて、スキップ手摺構造体４１のファン装置４６を駆動してファン４７を逆回転させることにより、放射熱Ｎにより暖められたスキップフロア３１の空気が強制的に一階側へ送り出される。これにより、一階部分１１のリビングダイニング２２等でも放射熱Ｎによる暖房効果が得られる。この平屋住宅１０のように、吹き抜け空間３２によりリビングダイニング２２とスキップフロア３１とが空間的につながっているため、全体として大空間が形成されている場合では、このような放射熱Ｎを利用することで暖房装置による暖房負荷を軽減させることができる。
【００６７】
以上の説明をまとめると、本実施の形態によれば以下に示す有利な効果が得られる。
【００６８】
（１）立ち上り南壁部５１に南窓サッシ８２が設けられ、一階南壁部５２より高く、そして北側に奥まった位置から太陽光Ｔが取り込まれるようになっている。このため、その取り込まれた太陽光Ｔはスキップフロア３１のより奥側まで届き、スキップフロア３１が明るく照らされる。これにより、暗くなりがちな北側配置のスキップフロア３１について、天窓を用いて採光するために防水上の問題が生じてしまうといったことがない状態で太陽光Ｔを取り込み、屋内の明るさを十分に確保できる。
【００６９】
また、天窓を必要としないため、屋根部１３，１４に太陽光パネル６１の設置スペースを十分に確保することもできるというメリットがある。天窓が不要であれば屋根部１３，１４に設置孔を形成する必要もないため、施工が容易であるし、天窓設置孔の形成による防水性の低下というデメリットを解消することもできる。
【００７０】
（２）立ち上り南壁部５１を一階南壁部５２より北側に奥まった位置に設置しているため、リビングダイニング２２の上方空間をルーフテラス６３として利用できる。また、スキップ床１５を有するスキップフロア３１を設けたことで、その下方空間を収納室２５として利用できる。したがって、天井高とされた平屋住宅１０であっても、屋内及び屋外の空間を有効に活用できる。
【００７１】
（３）北側の屋内空間部をスキップフロア３１としているため、太陽光Ｔの入射角度が比較的低い場合であっても、取り込まれた太陽光Ｔは一階床面１１ａより高い位置に設けられているスキップ床１５の床面１５ａ近くまで届くことになる。これにより、スキップフロア３１の明るさ確保にとって好適となる。
【００７２】
（４）スキップフロア３１の北側壁部５３には受光板部材９１が設置されており、取り込まれた太陽光Ｔはその反射面９１ａに当たって反射する。このため、太陽光Ｔはスキップフロア３１の奥まで届き、さらに入射する太陽光Ｔの通り道だけでなく、その下方にも太陽光Ｔが導かれる。これにより、スキップフロア３１ではより広い領域で明るさを確保できる。また、太陽光Ｔの入射角度によっては、反射した太陽光Ｔをリビングダイニング２２の北側領域に導くことも可能となる。これにより、リビングダイニング２２の南窓サッシ７２だけでは太陽光Ｔが届きにくい領域にも太陽光Ｔを届けることができる。
【００７３】
（５）受光板部材９１は蓄熱機能を有しており、取り込まれた太陽光Ｔが受光板部材９１に当たることでそこに太陽光Ｔの熱エネルギが蓄えられる。そして、その熱Ｎは表面からスキップフロア３１に向けて放熱されるため、その放射熱Ｎによって寒くなりがちな北側のスキップフロア３１を暖めることができる。これにより、冬季において、スキップフロア３１での暖房負荷を軽減させることができる。
【００７４】
（６）スキップフロア３１を区画するスキップ手摺構造体４１には、ファン装置４６が設置されている。このファン装置４６により、リビングダイニング２２とスキップフロア３１との間で空気流が作り出されるため、この空気流を利用して自然な空気の流れを補助したり、放射熱Ｎにより暖められたスキップフロア３１の空気をリビングダイニング２２へ送り出したりして、屋内環境を向上させることができる。
【００７５】
（７）南窓サッシ７２，８２の屋外側には夏季の太陽光Ｔを遮る庇７６，８３が設けられているため、太陽光Ｔが屋内に取り込まれて屋内温度が上昇したり、冷房効率が悪化したりすることを抑制できる。
【００７６】
なお、以上説明した実施の形態に限らず、例えば以下に別例として示した形態で実施することもできる。
【００７７】
（ａ）上記実施の形態では、受光板部材９１が北側壁部５３の内壁面に設置されているが、それに代えて他の箇所に設置してもよいし、併せて別の箇所に設置してもよい。
【００７８】
前者の別例は、一例として、スキップフロア３１の天井面１２ｂから吊り下げて受光板部材９１を設けることが考えられる。また、図８に示すように、第２階段３３の階段手摺構造体Ｋ２に、上下方向を回転軸として回動自在となるように受光板部材９６を設置し、必要に応じて立ち上り南壁部５１と平行に配置して太陽光Ｔを受光可能な状態に配置するようにしてもよい。
【００７９】
一方、図９は後者の一例を示す平屋住宅１０の縦断面図である。この例では、図示されているように、スキップ手摺構造体４１にもその南面に受光板部材９１が設けられている。その設置態様として、スキップ手摺構造体４１を構成するパネル板材４４の代わりに受光板部材９１が用いられている。他に、受光板部材９７を別途設けてもよい。
【００８０】
冬季であっても、前述した図５の図示より日射角度が高くなる時間帯がある。例えば、冬至における東京での南中高度は約３２度であり、緯度が高くなるほどその南中高度は高くなる。そのような時間帯では、図９に図示されているように、北側壁部５３の内壁面に太陽光Ｔが届かず、一部がスキップ手摺構造体４１の南面に当たる。そのような場合に備え、スキップ手摺構造体４１の南面に受光板部材９７を設けることで、太陽光Ｔを入射側に反射させて明るさを確保できるし、放射熱Ｎによる暖房負荷の軽減という効果が低減すること抑制できる。なお、図９では、できるだけ日差しを取り込むために、庇７６，８３はその張り出し量を小さくした状態が図示されている。
【００８１】
（ｂ）上記実施の形態では、平屋住宅１０にスキップ床１５を設けてスキップフロア階部分１２が形成されているが、スキップ床１５のない平屋住宅であってもよい。図１０はそのような平屋住宅を示す縦断面図である。図示されているように、平屋住宅１００は屋内空間部としてダイニング１０１及びリビング１０２を備え、それらは南北方向に横並び、かつ隣接して設けられている。上記実施形態における平屋住宅１０と異なり、スキップ床１５が設けられていないため、ダイニング１０１及びリビング１０２はいずれも同じ高さ位置の床面１００ａを有している。このため、受光板部材９１もその下端部が床面１００ａの近傍に配置されるように設置されている。その他の構成は前記平屋住宅１０と同様である。
【００８２】
かかる構成であっても、南窓サッシ８２から取り込まれた太陽光Ｔが受光板部材９１の反射面９１ａに当たって反射し、入射側に導かれる。これにより、太陽光Ｔの入射側から見て奥の屋内空間部であるリビング１０２では、その床近傍にも太陽光Ｔが導かれるため、屋内の明るさを好適に確保できる。また、この場合も同様に、放射熱Ｎによる暖房負荷軽減も実現できる。
【００８３】
（ｃ）上記実施の形態では、光利用手段としての受光板部材９１は蓄熱機能及び反射機能の両機能を有しているが、少なくともいずれか一方の機能を有していればよい。いずれかの機能を有するだけでも、それによって得られるメリットは大きいからである。
【００８４】
また、受光板部材９１に蓄熱機能を付与する構成として、前記容器本体９２に潜熱蓄熱材９３が充填された構成に代えて、熱容量の大きい材質（例えば、石材等）によって受光板部材９１を形成するようにしてもよい。この場合も、その表面に光沢材を塗布したり、鏡面加工したりすれば、反射面９１ａを形成して反射機能を付与することもできる。
【００８５】
さらに、受光板部材９１を北側壁部５３の内壁面に設置する構成として、北側壁部５３に収容凹部を形成してそこに設けてもよい。また、受光板部材９１に代えて、北側壁部５３を構成する壁仕上げ材等に光沢性を有するものを採用すれば、北側壁部５３自身が反射機能を備えた光利用手段となり得る。北側壁部５３がコンクリート壁であれば、その北側壁部５３自身が蓄熱機能を備えた光利用手段となり得る。
【００８６】
（ｄ）上記実施の形態では、受光板部材９１に太陽光Ｔの熱エネルギを蓄熱し、その熱Ｎを放射させるようにしているが、この熱Ｎを他へ伝える伝熱手段を設けてもよい。伝熱手段としては、受光板部材９１に接する空気流通層を北側壁部５３に設けて、その空気流通層を流通する空気を媒体として熱を伝える構成が一例として考えられる。かかる伝熱により、例えば、収納室２５や洗面・トイレ２６に伝熱させてそれらの部屋の暖房補助に利用したり、スキップフロア３１や他の屋内空間部における床部に伝熱させ、床暖房の補助に利用したりすることが考えられる。これにより、蓄えた熱Ｎの用途を広げることができて好適となる。
【００８７】
（ｅ）上記実施の形態では、スキップ手摺構造体４１に設けられたファン装置４６の駆動制御として、夏季又は冬季に正回転又は逆回転させることを説明したが、居住者の生体情報や屋内環境情報に基づいて各種の制御を実施するようにしてもよい。この場合、居住者の生体情報を取得するため、屋内にサーモグラフィ（体温情報の検出）、生体センサ（心拍数情報等の検出）等が設置される。また、室内環境情報を取得するため、室温センサや湿度センサ等が屋内に設置される。そして、これら各種センサ等がファン装置４６のコントローラに接続され、コントローラがこれらの情報に基づいてファン４７を駆動制御する。これにより、単に季節に応じて正回転又は逆回転させるというだけでなく、居住者の体調や屋内環境に応じたきめ細かな制御を実施して、ファン４７の回転による空気流を作り出すことができる。
【００８８】
（ｆ）上記実施の形態では、立ち上り南壁部５１がリビングダイニング２２の上方に設けられているが、立ち上り南壁部５１がより北側に配置された構成を採用してもよい。要は、少なくともスキップフロア３１がリビングダイニング２２よりも天井高とされた構成であればよい。
【００８９】
（ｇ）上記実施の形態では、平屋住宅１０は南向きとされて、リビングダイニング２２とスキップフロア３１とは南北方向に並んで設けられているが、例えば両空間部が南東・北西方向に並ぶ等、他の方角を向く平屋住宅１０であってもよい。
【００９０】
（ｈ）上記実施の形態では、平屋住宅１０を建物の例として説明したが、住宅以外の建物であってもよい。また、建物の屋根部は、上記実施形態の平屋住宅１０のようにフラット屋根ではなく、傾斜した屋根面を有する屋根部であってもよいが、その場合でも南窓サッシ８２を設置するため、外壁となる立ち上り南壁部５１を設ける必要はある。さらに、スキップフロア３１の上方に上階部分を設けるなど、複数階建ての建物であってもよい。ただし、その場合には、南窓サッシ８２での太陽光の採光を遮らないようにすべく、少なくともルーフテラス６３、つまり段差部分の空間上方には上階部分が設けられない建物である必要がある。
【符号の説明】
【００９１】
１０…平屋住宅（建物）、１１ｂ，１２ｂ…天井面、１５…スキップ床、２２…リビングダイニング（第１空間部）、３１…スキップフロア（第２空間部）、４１…スキップ手摺構造体（腰壁部）、４６…ファン装置、５１…立ち上り南壁部（南側立ち上り外壁部）、５２…一階南壁部（外壁である南側壁部）、５３…北側壁部、８２…南窓サッシ（採光部）、８３…庇、９１…受光板部材（光利用手段、反射部材、蓄熱部材）、９１ａ…反射面。
【図１】
0005461208.tif 000002
【図２】
0005461208.tif 000003
【図３】
0005461208.tif 000004
【図４】
0005461208.tif 000005
【図５】
0005461208.tif 000006
【図６】
0005461208.tif 000007
【図７】
0005461208.tif 000008
【図８】
0005461208.tif 000009
【図９】
0005461208.tif 000010
【図１０】
0005461208.tif 000011